【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
難燃性のＵＶ光硬化可能なタイトバッファコーティングを含む光ファイバにおいて、該タイトバッファコーティングが少なくとも２０％の限界酸素指数を有し、かつ該タイトバッファコーティングが、難燃性可塑剤、難燃性アクリレートオリゴマー、環状ジホスホネートエステル及びそれらの混合物からなる群から選択された難燃剤物質を含む光ファイバ。
【請求項２】
難燃剤物質が、アルキルホスフェートエステル、アリールホスフェートエステル、アルキルアリールホスフェートエステル、アルキル化ポリアリールホスフェートエステル、アルキルホスホネートエステル、アリールホスホネートエステル、アルキルアリールホスホネートエステル、アルキル化ポリアリールホスホネートエステル、５官能性メラミンアクリレート、環状ジホスホネートエステル及びそれらの混合物からなる群から選択される、請求項１に記載の光ファイバ。
【請求項３】
該タイトバッファコーティングが、実質的にハロゲンフリーである、請求項１又は２のいずれか１項に記載の光ファイバ。
【請求項４】
該タイトバッファコーティングが光学的に透明であって、かつ耐久性のある引張り強さを有する、請求項１〜３のいずれか１項に記載の光ファイバ。
【請求項５】
該タイトバッファコーティングが４００〜８００μｍの波長において少なくとも７５％の光学的透明度を有する、請求項４に記載の光ファイバ。
【請求項６】
該タイトバッファコーティングが４００〜８００μｍの波長において少なくとも８０％の光学的透明度を有する、請求項４に記載の光ファイバ。
【請求項７】
該タイトバッファコーティングが４００〜８００μｍの波長において少なくとも８５％の光学的透明度を有する、請求項４に記載の光ファイバ。
【請求項８】
該タイトバッファコーティングが光学的に透明であって、かつ少なくとも２１％の限界酸素指数を有する請求項１〜７のいずれか１項に記載の光ファイバ。
【請求項９】
該タイトバッファコーティングが光学的に透明であって、かつ少なくとも２２％の限界酸素指数を有する、請求項８の光ファイバ。
【請求項１０】
該難燃性可塑剤がポリアリールホスフェートエステルである、請求項１〜９のいずれか１項に記載の光ファイバ。
【請求項１１】
該ポリアリールホスフェートエステルが、トリアリールホスフェートエステルである、請求項１０に記載の光ファイバ。
【請求項１２】
該ポリアリールホスフェートエステルがアルキル化トリフェニルホスフェートエステルである、請求項１０に記載の光ファイバ。
【請求項１３】
該ポリアリールホスフェートエステルがイソプロピル化トリフェニルホスフェートエステルである、請求項10に記載の光ファイバ。
【請求項１４】
該難燃性アクリレートオリゴマーが５官能性メラミンアクリレートである、請求項１及び３〜９のいずれか１項に記載の光ファイバ。
【請求項１５】
該難燃剤が環状ジホスホネートエステルである、請求項１〜９のいずれか１項に記載の光ファイバ。
【請求項１６】
照射硬化可能な官能基を有する少なくとも１のモノマー又はオリゴマー及び難燃剤物質を、硬化されていない状態において含む照射硬化可能な光ファイバタイトバッファコーティング組成物において、該コーティングが、硬化されたとき、光学的に透明であって、少なくとも２０％の限界酸素指数を有し、かつ耐久性のある引張り強さを有し、かつ難燃剤物質が、難燃性可塑剤、難燃性アクリレートオリゴマー、環状ジホスホネートエステル及びそれらの混合物からなる群から選択されるところの、タイトバッファコーティング組成物。
【請求項１７】
該難燃剤物質が、アルキルホスフェートエステル、アリールホスフェートエステル、アルキルアリールホスフェートエステル、アルキル化ポリアリールホスフェートエステル、アルキルホスホネートエステル、アリールホスホネートエステル、アルキルアリールホスホネートエステル、アルキル化ポリフェニルホスホネートエステル、５官能性メラミンアクリレート、環状ジホスホネートエステル、及びそれらの混合物、及びポリアリールホスフェートエステル、環状エステル、ポリホスホラス化合物、及びアリールホスホネートエステルからなる群から選択された難燃剤物質を含む、請求項１６に記載のタイトバッファコーティング組成物。
【請求項１８】
コーティング組成物が、ハロゲンフリーであるか又は実質的にハロゲンフリーである
請求項１６又は１７のいずれか１項に記載の照射硬化可能な光ファイバタイトバッファコーティング組成物。
【請求項１９】
難燃剤物質が、ポリアリールホスフェートエステルである、請求項16〜18のいずれか１項に記載のタイトバッファコーティング組成物。
【請求項２０】
難燃剤物質が、トリアリールホスフェートエステルである、請求項16〜18のいずれか１項に記載のタイトバッファコーティング組成物。
【請求項２１】
難燃剤物質が、アルキル化トリフェニルホスフェートエステルである、請求項16〜18のいずれか１項に記載のタイトバッファコーティング組成物。
【請求項２２】
難燃剤物質が、イソプロピル化トリフェニルホスフェートエステルである、請求項16〜18のいずれか１項に記載のタイトバッファコーティング組成物。
【請求項２３】
難燃剤物質が、５官能性メラミンアクリレートである、請求項１６〜１８のいずれか１項に記載のタイトバッファコーティング組成物。
【請求項２４】
該難燃剤物質が環状ジホスホネートエステルである、請求項17又は１８のいずれか１項に記載のタイトバッファコーティング組成物。
【請求項２５】
該組成物が、硬化されたとき、４００〜８００ｎｍの波長において少なくとも７５％の光学的透明度を有する、請求項１６〜２４のいずれか１項に記載のタイトバッファコーティング組成物。
【請求項２６】
該組成物が、硬化されたとき、４００〜８００ｎｍの波長において少なくとも８０％の光学的透明度を有する、請求項１６〜２５のいずれか１項に記載のタイトバッファコーティング組成物。
【請求項２７】
該組成物が、硬化されたとき、４００〜８００ｎｍの波長において少なくとも８５％の光学的透明度を有する、請求項１６〜２６のいずれか１項に記載のタイトバッファコーティング組成物。
【請求項２８】
該組成物が、硬化されたとき、少なくとも２１％の限界酸素指数を有する、請求項１６〜２７のいずれか１項に記載のタイトバッファコーティング組成物。
【請求項２９】
該組成物が、硬化されたとき、少なくとも２２％の限界酸素指数を有する、請求項１６〜２８のいずれか１項に記載のタイトバッファコーティング組成物。
【請求項３０】
該難燃剤が、組成物に対して５重量％〜５０重量％の量で存在する、請求項１６〜２９のいずれか１項に記載のタイトバッファコーティング組成物。
【請求項３１】
光ファイバを、請求項１６に記載のタイトバッファコーティング組成物でアップジャケットすることを含む難燃性光ファイバを製造する方法において、該タイトバッファコーティング組成物が、硬化されたとき、光学的に透明であって、少なくとも２０％の限界酸素指数を有し、かつ耐久性のある引張り強さを有するところの方法。
【請求項３２】
コーティング組成物が、ハロゲンフリーであるところの、請求項３１に記載の方法。
【請求項３３】
難燃性のUV硬化可能な一次コーティング、二次コーティング、インクベースコーティング、マトリックス物質コーティング、又は単一コーティングを含む光ファイバにおいて、該コーティングが、少なくとも２０％の限界酸素指数を有し、アルキルホスフェートエステル、アリールホスフェートエステル、アルキルアリールホスフェートエステル、アルキル化ポリアリールホスフェートエステル、アルキルホスホネートエステル、アリールホスホネートエステル、アルキルアリールホスホネートエステル、アルキル化ポリアリールホスホネートエステル、及びそれらの混合物の群から選択された難燃剤物質を含む光ファイバ組成物。
【請求項３４】
照射硬化可能な官能基を有する少なくとも１のモノマー又はオリゴマー、反応性希釈剤、及び難燃剤物質を、硬化されていない状態において含む、照射硬化可能な光ファイバ一次コーティング、二次コーティング、インクベースコーティング、マトリックス物質コーティング、又は単一コーティング組成物において、該コーティングが、硬化されたとき、光学的に透明であって少なくとも２０％の限界酸素指数を有し、かつ耐久性のある引張り強さを有し、難燃剤物資が、アルキルホスフェートエステル、アリールホスフェートエステル、アルキルアリールホスフェートエステル、アルキル化ポリアリールホスフェートエステル、アルキルホスホネートエステル、アリールホスホネートエステル、アルキルアリールホスホネートエステル、アルキル化ポリアリールホスホネートエステル、及びそれらの混合物の群から選択されるところの、照射硬化可能な光ファイバ一次コーティング、二次コーティング、インクベースコーティング、マトリックス物質コーティング、又は単一コーティング組成物。
【請求項３５】
コーティング組成物が、ハロゲンフリー又は実質的にハロゲンフリーである、請求項３４に記載のコーティング組成物。
【手続補正２】
【補正対象書類名】明細書
【補正対象項目名】００１６
【補正方法】変更
【補正の内容】
【００１６】
技術において、光ファイバの製造業者に公知である現行の機械において、及び現行の方法において使用され得るところのそのようなコーティングと同様、化学少なくとも紫外照射への暴露により硬化される、光ファイバをアップジャケットするために適切な難燃性のタイトバッファコーティング組成物を提供することは有利であろう。そのような機械はインクをコートされたファイバに施与するための機械及びリボン製造機を含むがそれらに限定されはしない。さらに、もし難燃性タイトバッファーコーティングが所望により透明である、耐久性があれば望ましいだろう。